(57)【要約】【課題】光源が消灯しなくなる異常が発生した際に、この異常をユーザに認識させることが可能なプロジェクタ及びその制御方法を提供する。【解決手段】光源１１が消灯しなくなる消灯異常が検出されると、制御部２０は、ＬＥＤ表示部２３を赤色で点滅させて、異常の発生をユーザに報知する。さらに、制御部２０は、ＯＳＤ処理部２７に指示をして、消灯異常を報知するためのメッセージ画像を投写画像上に重畳表示させるとともに、画像処理部２６に指示をして、メッセージ画像の背景を赤色で点滅させる。その後、制御部２０は、ファン制御部３２に対して、冷却ファン３３の回転数を増大させる指示を行い、温度検出部３１の検出結果に応じた回転数よりも大きな回転数で冷却ファン３３を回転させる。【選択図】図３
2010134070.tif 000002
【特許請求の範囲】
【請求項１】
光源と、
前記光源から射出された光を変調して画像を形成する光変調装置と、
前記光変調装置で形成された前記画像を投写する投写光学系と、
前記光源の消灯を指示するためのオフ操作を受け付ける入力操作部と、
前記光源の点灯及び消灯を行う光源駆動装置と、
前記入力操作部が受け付けた前記オフ操作に基づいて、前記光源駆動装置に前記光源を消灯させるための指示を行う制御部と、
前記制御部が前記指示を行った後も前記光源の点灯が継続する消灯異常を検出する消灯異常検出部と、
前記消灯異常検出部が前記消灯異常を検出した場合に異常の発生を報知する報知部と、
を備えたことを特徴とするプロジェクタ。
【請求項２】
請求項１に記載のプロジェクタであって、
前記報知部は、前記消灯異常検出部が前記消灯異常を検出した場合に、異常の発生を報知するメッセージ画像を前記光変調装置に形成させ、前記投写光学系から投写させることを特徴とするプロジェクタ。
【請求項３】
請求項１又は２に記載のプロジェクタであって、
前記報知部は、前記消灯異常検出部が前記消灯異常を検出した場合に、前記投写光学系から投写される前記画像の色を周期的に切り換えることを特徴とするプロジェクタ。
【請求項４】
請求項１〜３のいずれか１項に記載のプロジェクタであって、
前記光源及び前記光変調装置を含む装置本体を収容する筐体と、
前記筐体の内部を冷却する冷却ファンと、
をさらに備え、
前記報知部は、前記消灯異常検出部が前記消灯異常を検出した場合に、前記冷却ファンの回転数を増大させることを特徴とするプロジェクタ。
【請求項５】
請求項１〜４のいずれか１項に記載のプロジェクタであって、
前記報知部は、音声を出力する音声出力部を備え、前記消灯異常検出部が前記消灯異常を検出した場合に、前記音声出力部から所定の音声を出力させることを特徴とするプロジェクタ。
【請求項６】
光源から射出された光を変調して投写するプロジェクタの制御方法であって、
前記光源の消灯を指示するためのオフ操作を受け付けるオフ操作入力ステップと、
前記オフ操作入力ステップで受け付けた前記オフ操作に基づいて、前記光源を駆動する光源駆動装置に対して前記光源を消灯させるための指示を行う消灯指示ステップと、
前記消灯指示ステップの後も前記光源の点灯が継続する消灯異常を検出する消灯異常検出ステップと、
前記消灯異常検出ステップで前記消灯異常が検出された場合に、異常の発生を報知する報知ステップと、
を備えたことを特徴とするプロジェクタの制御方法。
【発明の詳細な説明】
【技術分野】
【０００１】
本発明は、光源から射出された光を変調して投写するプロジェクタ及びその制御方法に関する。
【背景技術】
【０００２】
光源から射出された光を変調して画像を形成し、この画像をスクリーン等に投写するプロジェクタにおいて、光源自身、又は光源の点消灯（点灯及び消灯）を行う光源駆動装置に故障や誤動作が生じた場合、或いは光源と光源駆動装置との接続が不完全である場合等には、光源の点消灯を適正に制御できない事態が生じ得る。また、特許文献１に記載の光源駆動装置（放電ランプ点灯装置）のように、光源駆動装置が、外部機器（例えば、プロジェクタの主たる制御装置）と通信を行って光源の点灯状態を高精度に制御するマイコン（演算処理回路）を備えた構成の場合には、外来のノイズ等による通信異常や予期せぬマイコンの誤動作が光源の制御に支障をきたす恐れもある。
【０００３】
ここで、光源を点灯させるための操作（オン操作）を行ったにも拘わらず光源が点灯しない場合には、ユーザは、すぐに異常（光源が点灯しないこと）を認識することが可能であり、再度オン操作を試みたり、光源の接続状態を確認したりすることができる。
【０００４】
【特許文献１】特開２００５−２４３３８１号公報
【発明の開示】
【発明が解決しようとする課題】
【０００５】
しかしながら、光源を消灯させるための操作（オフ操作）を行ったにも拘わらず光源が消灯しない場合には、プロジェクタの使用を終えた状況下であることから、ユーザは、異常（光源が消灯しないこと）に気づきにくく、そのまま放置されてしまう恐れがある。また、異常に気づいたユーザが、点灯により高温になっている光源に触れようとしてしまうことも考えられる。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクタは、光源と、前記光源から射出された光を変調して画像を形成する光変調装置と、前記光変調装置で形成された前記画像を投写する投写光学系と、前記光源の消灯を指示するためのオフ操作を受け付ける入力操作部と、前記光源の点灯及び消灯を行う光源駆動装置と、前記入力操作部が受け付けた前記オフ操作に基づいて、前記光源駆動装置に前記光源を消灯させるための指示を行う制御部と、前記制御部が前記指示を行った後も前記光源の点灯が継続する消灯異常を検出する消灯異常検出部と、前記消灯異常検出部が前記消灯異常を検出した場合に異常の発生を報知する報知部と、を備えたことを特徴とする。
【０００８】
このプロジェクタによれば、制御部が光源駆動装置に光源を消灯させるための指示を行った後も光源の点灯が継続する消灯異常が検出された場合に、報知部が異常の発生を報知するため、異常が発生したことをユーザに認識させることができる。
【０００９】
［適用例２］上記適用例に係るプロジェクタにおいて、前記報知部は、前記消灯異常検出部が前記消灯異常を検出した場合に、異常の発生を報知するメッセージ画像を前記光変調装置に形成させ、前記投写光学系から投写させることが望ましい。
【００１０】
このプロジェクタによれば、消灯異常が検出された場合にメッセージ画像を投写するため、異常の発生をユーザに認識させることが可能となる。また、メッセージの内容によって、対処方法や注意事項等も報知することができる。
【００１１】
［適用例３］上記適用例に係るプロジェクタにおいて、前記報知部は、前記消灯異常検出部が前記消灯異常を検出した場合に、前記投写光学系から投写される前記画像の色を周期的に切り換えることが望ましい。
【００１２】
このプロジェクタによれば、消灯異常が検出された場合に画像の色を周期的に切り換えるため、異常が発生したことをユーザに効果的に認識させることが可能となる。
【００１３】
［適用例４］上記適用例に係るプロジェクタにおいて、前記光源及び前記光変調装置を含む装置本体を収容する筐体と、前記筐体の内部を冷却する冷却ファンと、をさらに備え、前記報知部は、前記消灯異常検出部が前記消灯異常を検出した場合に、前記冷却ファンの回転数を増大させることが望ましい。
【００１４】
このプロジェクタによれば、消灯異常が検出された場合に冷却ファンの回転数を増大させるため、冷却ファンの回転音によって異常の発生を認識させることができるとともに、光源が点灯し続けることによる温度上昇を抑制することが可能となる。
【００１５】
［適用例５］上記適用例に係るプロジェクタにおいて、前記報知部は、音声を出力する音声出力部を備え、前記消灯異常検出部が前記消灯異常を検出した場合に、前記音声出力部から所定の音声を出力させるようにしてもよい。
【００１６】
このプロジェクタによれば、消灯異常が検出された場合に音声によって異常の発生を報知するため、投写される画像やプロジェクタから目を離したユーザに対しても、異常の発生を認識させることができる。なお、出力する音声としては、単に警報音を鳴らすだけでもよいし、音声メッセージをアナウンスするようにしてもよい。後者の場合には、メッセージの内容によって、対処方法や注意事項等も報知することができる。
【００１７】
［適用例６］本適用例に係るプロジェクタの制御方法は、光源から射出された光を変調して投写するプロジェクタの制御方法であって、前記光源の消灯を指示するためのオフ操作を受け付けるオフ操作入力ステップと、前記オフ操作入力ステップで受け付けた前記オフ操作に基づいて、前記光源を駆動する光源駆動装置に対して前記光源を消灯させるための指示を行う消灯指示ステップと、前記消灯指示ステップの後も前記光源の点灯が継続する消灯異常を検出する消灯異常検出ステップと、前記消灯異常検出ステップで前記消灯異常が検出された場合に、異常の発生を報知する報知ステップと、を備えたことを特徴とする。
【００１８】
このプロジェクタの制御方法によれば、光源駆動装置に光源を消灯させるための指示を行った後も光源の点灯が継続する消灯異常が検出された場合に、異常の発生を報知するようにしているため、異常が発生したことをユーザに認識させることができる。
【００１９】
また、上述したプロジェクタ及びその制御方法がプロジェクタに備えられたコンピュータを用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２０】
以下、光源から射出された光を画像情報に応じて変調して画像を形成し、形成した画像をスクリーン等の投写面に投写するプロジェクタについて説明する。
【００２１】
図１及び図２は、本実施形態のプロジェクタを示す斜視図であり、図１は、前面、上面、及び右側面を示す図、図２は、背面、底面、及び右側面を示す図である。
図１及び図２に示すように、プロジェクタ１は、装置本体が筐体２に収容された構成を有しており、筐体２の前面２ｆには、画像を投写する投写レンズ１３が露出している。筐体２の上面２ｔには、ユーザがプロジェクタ１に対して各種指示を行うための入力操作部２２が備えられ、入力操作部２２の近傍には、プロジェクタ１の動作状態を報知するためのＬＥＤ表示部２３が備えられている。筐体２の背面２ｒには、商用電源が供給される電源端子２８と、図示しない外部の画像出力装置から画像情報が入力される画像情報入力部２４とが設けられている。画像情報入力部２４には、複数の入力端子２４ａが配置されており、各入力端子２４ａには、一端が画像出力装置に接続されたケーブルの他端が接続される。
【００２２】
プロジェクタ１は、筐体２の内部に冷却ファン３３（図３参照）を備えており、光源の点灯等に伴って高温となる筐体２の内部を冷却することができる。筐体２の底面２ｂには、外部から空気を吸入するための吸気口３ａが形成されており、冷却ファン３３の回転によって吸気口３ａから吸入された空気は、筐体２の内部を冷却した後、筐体２の右側面２ｓに形成された排気口３ｂから排出される。
【００２３】
図３は、プロジェクタの回路構成を示すブロック図である。
図３に示すように、プロジェクタ１は、画像投写部１０、制御部２０、記憶部２１、入力操作部２２、ＬＥＤ表示部２３、画像情報入力部２４、入力選択部２５、画像処理部２６、ＯＳＤ処理部２７、電源端子２８、電源回路２９、光源駆動装置３０、温度検出部３１、ファン制御部３２、冷却ファン３３等を備えて構成されている。
【００２４】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して投写面Ｓに表示する。
【００２５】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から拡大投写される。
【００２７】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２８】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２９】
入力操作部２２は、ユーザからの入力操作を受け付けるものであり、ユーザがプロジェクタ１に対して各種指示を行うための複数の操作キーを備えている。入力操作部２２が備える操作キーとしては、電源のオン・オフを切り換えるための「電源キー」、有効な入力端子２４ａを切り換えるための「入力切換キー」等がある。ユーザが入力操作部２２の各種操作キーを操作すると、入力操作部２２は、この入力操作を受け付けて、ユーザの操作内容に応じた操作信号を制御部２０に出力する。なお、入力操作部２２として、遠隔操作が可能なリモコン（図示せず）を用いた構成としてもよい。この場合、リモコンは、ユーザの操作内容に応じた赤外線の操作信号を発信し、図示しないリモコン信号受信部がこれを受信して制御部２０に伝達する。
【００３０】
ＬＥＤ表示部２３は、ＬＥＤ（発光ダイオード）を備えたインジケータであり、制御部２０の指示に基づいてその表示状態を切り換えることにより、ユーザにプロジェクタ１の動作状態（電源のオン・オフや異常発生等）を報知する。なお、ＬＥＤ表示部２３は、その表示状態、即ち点灯、点滅、消灯、発光色等を適宜切り換えることによって、多数の動作状態を表すことが可能になっている。
【００３１】
画像情報入力部２４は、上述したように複数の入力端子２４ａを備えており、各入力端子２４ａには、ビデオ再生装置やパーソナルコンピュータ等、外部の画像出力装置から出力される画像情報がケーブルを介して入力される。各入力端子２４ａに入力された画像情報は、入力選択部２５に供給される。
【００３２】
入力選択部２５は、複数の入力端子２４ａのうち、制御部２０の指示に基づく１つの入力端子２４ａを選択し、この入力端子２４ａに入力される画像情報を画像処理部２６に出力する。ユーザが、入力操作部２２に備わる入力切換キーを操作して所望の入力端子２４ａを指定すると、制御部２０は、この入力端子２４ａに入力される画像情報が画像処理部２６に出力されるよう、入力選択部２５に指示をする。
【００３３】
画像処理部２６は、入力選択部２５から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部２６は、制御部２０の指示に基づき、変換した画像情報に対して、明るさ、コントラスト、シャープネス、色合い等を調整するための画質調整処理等を行い、処理後の画像情報をＯＳＤ処理部２７に出力する。
【００３４】
また、画像処理部２６は、制御部２０の指示に基づいて、所定の基本画像（例えば、単色無地の画像等）を投写するための画像情報を出力可能になっている。制御部２０が基本画像の投写を指示すると、画像処理部２６は、入力選択部２５から入力される画像情報の内容に拘わらず、指示に応じた画像情報を生成し、生成した画像情報をＯＳＤ処理部２７に出力する。例えば、白色無地の基本画像の投写が指示された場合には、画像処理部２６は、すべての画素の光透過率が最大となるような画像情報を生成して出力する。
【００３５】
ＯＳＤ処理部２７は、制御部２０の指示に基づいて、投写すべき画像（投写画像）上にメニュー画像やメッセージ画像等のＯＳＤ（オンスクリーンディスプレイ）画像を重畳するための処理を行う。ＯＳＤ処理部２７は、図示しないＯＳＤメモリを備えており、ＯＳＤ画像を形成するための図形やフォント等を表す画像データを記憶している。制御部２０が、ＯＳＤ画像の重畳を指示すると、ＯＳＤ処理部２７は、必要な画像データをＯＳＤメモリから読み出して、指定されたＯＳＤ画像を形成するためのＯＳＤ画像情報を生成する。そして、投写画像上の所定の位置にＯＳＤ画像が重畳されるように、画像処理部２６から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２７は、画像処理部２６から入力される画像情報を、そのままライトバルブ駆動部１４に出力する。
【００３６】
ライトバルブ駆動部１４が、ＯＳＤ処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３７】
電源回路２９には、電源端子２８を介してＡＣ１００Ｖ等の商用電源が外部から供給される。電源回路２９は、商用電源（交流電源）を所定の電圧の直流電源に変換して、プロジェクタ１の各部に電力を供給する。また、電源回路２９は、制御部２０の指示に基づいて、画像の投写に必要な電力（動作電力）を各部に供給する状態（電源オンの状態）と、動作電力の供給を停止して、電源をオンにするための操作を待機する状態（スタンバイ状態）とを切り換えることができる。
【００３８】
光源駆動装置３０は、電源回路２９で生成された直流電流を交流矩形波電流に変換するインバータ（図示せず）や、光源ランプ１１ａの電極間の絶縁破壊を行って、光源ランプ１１ａの始動を促すためのイグナイタ（図示せず）等を備えており、制御部２０の指示に基づいて光源１１を駆動する。具体的には、光源駆動装置３０は、光源１１を始動させて所定の電力を供給することにより光源１１を点灯させるとともに、電力の供給を停止して光源１１を消灯させることができる。また、光源駆動装置３０は、光源１１が消費する電流（光源電流）等に基づいて、光源１１の点灯状態（点灯しているか否か）を検知可能になっており、その検知結果を点灯状態検知信号として制御部２０に出力する。
【００３９】
温度検出部３１は、１つ又は複数の温度センサ等で構成され、筐体２の内部の温度を検出し、検出結果をファン制御部３２に出力する。この温度センサは、光源１１、液晶ライトバルブ１２Ｒ，１２Ｇ，１２Ｂ、電源回路２９等のように、熱を発する部位や熱によるダメージを受けやすい部位に配置される。また、筐体２の内部の温度を直接検出する代わりに、排気口３ｂから排出される空気の温度を検出すること等により、筐体２の内部の温度を間接的に検出するようにしてもよい。
【００４０】
ファン制御部３２は、制御部２０の指示に基づいて、冷却ファン３３の回転の始動、及びその停止を制御するとともに、制御部２０の指示と温度検出部３１の検出結果とに基づいて冷却ファン３３の回転数を制御する。具体的には、ファン制御部３２は、筐体２の内部温度が高温であるほど、冷却ファン３３を高速で回転させて温度上昇を抑制し、内部温度が低い場合には、ファンの回転に伴う騒音と電力消費とを抑制すべく冷却ファン３３の回転数を低速にする。
【００４１】
冷却ファン３３は、例えば、軸流ファンやシロッコファン等によって構成される。冷却ファン３３は、ファン制御部３２の制御に基づいて回転することにより、吸気口３ａから外部の空気を吸入して筐体２の内部を冷却し、冷却後の空気を排気口３ｂから排出する。なお、冷却ファン３３は、複数のファンによって構成されてもよく、例えば、吸気口３ａの近傍に配置されるファン（吸気ファン）と、排気口３ｂの近傍に配置されるファン（排気ファン）とを含んで構成されてもよい。
【００４２】
次に、プロジェクタ１の動作について説明する。
【００４３】
電源端子２８に電源ケーブル（図示せず）の一端が接続され、この電源ケーブルの他端に備わる電源プラグがコンセントに挿し込まれると、電源回路２９に商用電源が供給される。商用電源が供給されると、電源回路２９は、少なくとも制御部２０、記憶部２１、入力操作部２２、ＬＥＤ表示部２３に電力（スタンバイ電力）の供給を行い、制御部２０は、この電力供給を受けて、制御プログラムに従った動作を開始する。商用電源が供給された直後には、プロジェクタ１は、スタンバイ状態（「電源オフの状態」ともいう。）であり、制御部２０は、ＬＥＤ表示部２３をオレンジ色で点灯させるとともに、入力操作部２２の電源キーに対する操作を監視する。そして、電源キーがユーザにより操作されると、制御部２０は、電源回路２９に指示をして、各部への動作電力の供給を開始させ、プロジェクタ１を電源オンの状態に移行させる。
【００４４】
プロジェクタ１が電源オンの状態に移行すると、制御部２０は、ＬＥＤ表示部２３を緑色で点灯させる。そして、ファン制御部３２に指示をして冷却ファン３３を始動させるとともに、光源駆動装置３０に指示をして光源１１を点灯させる。この結果、入力端子２４ａに入力される画像情報に基づく画像が画像投写部１０から投写される。
【００４５】
電源オンの状態でユーザにより再度電源キーが操作されると、制御部２０は、光源駆動装置３０に対して光源１１を消灯させる指示（消灯指示）を行い、光源１１が正常に消灯した後に、プロジェクタ１をスタンバイ状態に移行させる。ただし、本実施形態では、消灯指示を行ったにも拘わらず光源１１が点灯した状態が継続する現象（消灯異常）が発生した場合には、制御部２０は、消灯指示を繰り返すとともに、ユーザに対して消灯異常が発生した旨を報知するようになっている。なお、本明細書では、電源オンの状態でなされる電源キーの操作、即ち光源１１を消灯させてスタンバイ状態に移行させるためになされる電源キーの操作を「オフ操作」と呼ぶ。
【００４６】
図４は、上記の動作、即ちオフ操作時のプロジェクタ１の動作を詳述するためのフローチャートである。ユーザによりオフ操作がなされると、制御部２０は、図４に示すフローに従って動作する。
図４に示すように、まず、ステップＳ１０１では、制御部２０は、光源駆動装置３０に消灯指示を行い、光源１１を消灯させるための消灯処理を行わせる。
【００４７】
続くステップＳ１０２では、制御部２０は、光源駆動装置３０から入力される点灯状態検知信号に基づいて、光源１１が正常に消灯したか否かを判断する。そして、光源１１が正常に消灯した場合にはステップＳ１０３に移行する。一方、光源１１が消灯しておらず、点灯した状態が継続している場合にはステップＳ１０５に移行する。
【００４８】
消灯処理によって光源１１が正常に消灯しステップＳ１０３に移行した場合には、制御部２０は、ファン制御部３２に指示をして、冷却ファン３３の回転を停止させる。なお、光源１１が消灯した後も、所定時間、或いは、温度検出部３１の検出温度が所定の温度以下になるまで冷却ファン３３による冷却（クールダウン）を継続させるようにしてもよい。
【００４９】
続くステップＳ１０４では、制御部２０は、他の必要な終了処理（図示せず）を行った後、電源回路２９に指示をして動作電力の供給を停止させることにより、プロジェクタ１をスタンバイ状態に移行させ、フローを終了する。
【００５０】
一方、光源１１が消灯せずにステップＳ１０５に移行した場合には、制御部２０は、オフ操作の後に光源駆動装置３０に対して行った消灯指示の回数を判断する。そして、その回数が所定の回数Ｍ（例えば、５）である場合にはステップＳ１０６に移行する。一方、所定の回数Ｍ以外、即ち所定の回数Ｍ未満か所定の回数Ｍを超えている場合にはステップＳ１０１に戻り、再度光源駆動装置３０に対して消灯指示を行う。なお、消灯指示の回数は、例えば、制御部２０のＲＡＭに記憶され、制御部２０は、オフ操作がなされた直後にこれを０にリセットし、ステップＳ１０１で消灯指示を行うたびに１ずつインクリメントする。
【００５１】
消灯指示の回数が所定の回数ＭとなってステップＳ１０６に移行した場合、即ち、所定の回数Ｍの消灯指示を行ったにも拘わらず、依然として光源１１が消灯しない状態になった場合には、制御部２０は、この状態を消灯異常として検出する。そして、ステップＳ１０７では、制御部２０は、ＬＥＤ表示部２３を赤色で点滅させて、異常の発生をユーザに報知する。
【００５２】
さらに、ステップＳ１０８では、制御部２０は、ＯＳＤ処理部２７に指示をして、消灯異常を報知するためのメッセージ画像Ｍｗ（図５参照）を投写画像Ｐ上に重畳表示させる。図５に示すように、メッセージ画像Ｍｗには、消灯異常が発生した旨のメッセージ（「ランプを消灯できません。」）とともに、その対処方法（「電源プラグをコンセントから抜いて下さい。」）及び注意事項（「ランプには絶対に触れないで下さい。」）等が表記されている。
【００５３】
図４に戻って、ステップＳ１０９では、制御部２０は、画像処理部２６に指示をして、投写画像Ｐとして黒色無地の基本画像を投写する状態と、赤色無地の基本画像を投写する状態とを周期的に切り換えさせる。これにより、制御部２０は、投写画像Ｐ、即ちメッセージ画像Ｍｗの背景を赤色で点滅させて、ユーザに異常の発生を報知する。
【００５４】
そして、ステップＳ１１０では、制御部２０は、ファン制御部３２に対して、冷却ファン３３の回転数を増大させる指示を行い、その後、ステップＳ１０１に戻る。ファン制御部３２は、制御部２０から上記の指示を受けると、温度検出部３１の検出結果に応じた回転数よりも大きな回転数で冷却ファン３３を回転させる。この結果、光源１１が点灯し続けることによる温度上昇が抑制されるとともに、冷却ファン３３の回転音が増大することにより、ユーザに異常の発生が報知される。このため、ここでは、冷却ファン３３の回転数を、その可変範囲のうちの最大の回転数とすることが望ましい。
【００５５】
これ以降も、制御部２０は、ステップＳ１０１にて消灯指示を行い、光源１１が消灯してスタンバイ状態となるか、電源プラグが抜かれて電源の供給が断たれるまで消灯指示を繰り返す。そして、その間、プロジェクタ１は、ＬＥＤ表示部２３が赤色で点滅し、同じく赤色で点滅する投写画像Ｐにはメッセージ画像Ｍｗが重畳され、さらに、冷却ファン３３の回転数が増大した状態が継続する。
【００５６】
以上説明したように、本実施形態のプロジェクタ１によれば、以下の効果を得ることができる。
【００５７】
（１）本実施形態のプロジェクタ１によれば、消灯異常が検出された場合に、様々な手段（ＬＥＤ表示部２３及び投写画像Ｐの点滅、メッセージ画像Ｍｗの重畳、及び冷却ファン３３の回転数の増大）で異常の発生を報知するため、異常が発生したことをユーザに認識させることができる。
【００５８】
（２）本実施形態のプロジェクタ１によれば、消灯異常が検出された場合に、その旨を報知するメッセージ画像Ｍｗを重畳するようにしているため、異常の発生をユーザに認識させることが可能となるとともに、対処方法や注意事項等も報知することができる。
【００５９】
（３）本実施形態のプロジェクタ１によれば、消灯異常が検出された場合に、投写画像Ｐを点滅させる（投写画像Ｐの色を周期的に切り換えている）ため、異常が発生したことをユーザに効果的に認識させることが可能となる。
【００６０】
（４）本実施形態のプロジェクタ１によれば、消灯異常が検出された場合に、冷却ファン３３の回転数を増大させるため、冷却ファン３３の回転音によって異常の発生を認識させることができるとともに、光源１１が点灯し続けることによる温度上昇を抑制することが可能となる。
【００６１】
なお、本実施形態では、光源電流に基づいて光源１１の点灯状態を検知する際の光源駆動装置３０と、その検知結果（点灯状態検知信号）に基づいて消灯異常を検出する際の制御部２０が、消灯異常検出部に相当する。また、赤色で点滅する際のＬＥＤ表示部２３と、メッセージ画像Ｍｗを重畳表示する際のＯＳＤ処理部２７と、投写画像Ｐを点滅させる際の画像処理部２６と、冷却ファン３３の回転数を増大させる際のファン制御部３２と、これらの動作を制御する制御部２０とが、報知部に相当する。
【００６２】
（変形例）
また、上記実施形態は、以下のように変更してもよい。
【００６３】
上記実施形態では、光源駆動装置３０が、光源電流に基づいて光源１１の点灯状態（点灯しているか否か）を検知し、制御部２０は、光源駆動装置３０の検知結果（点灯状態検知信号）に基づいて消灯異常を検出しているが、消灯異常を検出するための手段は上記に限定されない。例えば、図６に示すように、光源駆動装置３０とは独立して光源１１の点灯状態を検知する点灯状態検知部３４を備えるようにして、この点灯状態検知部３４の検知結果に基づいて、制御部２０が消灯異常を検出するようにしてもよい。この場合には、光源駆動装置３０に何らかの異常が発生して、光源駆動装置３０が正常な点灯状態検知信号を出力できなくなった場合でも、消灯異常の検出が可能となる。なお、この場合には、点灯状態検知部３４と制御部２０とが消灯異常検出部に相当する。また、光源１１の点灯状態を検知するための手段としては、光源電流に基づいて検知するものに限られず、例えば、光センサ等によって点灯状態を検知することも可能である。
【００６４】
上記実施形態において、制御部２０の指示に基づいて音声を出力する音声出力部３５（図７参照）をさらに備えるようにすれば、制御部２０は、消灯異常が検出された際に、異常の発生を音声で報知することも可能となる。この場合には、音声出力部３５と制御部２０とが報知部に相当する。なお、音声出力部３５としては、所定の警報音を発するブザーを用いてもよいし、予め記憶部２１に記憶されている音声情報に基づいた音声メッセージをスピーカから発生させる態様にしてもよい。後者の場合には、メッセージの内容によって、対処方法や注意事項等をも音声で報知することが可能となる。
【００６５】
上記実施形態では、消灯異常が検出された際に、ＬＥＤ表示部２３の点滅と、メッセージ画像Ｍｗの重畳表示と、その背景（投写画像Ｐ）の点滅と、冷却ファン３３の回転数の増大のすべてを行うようにしているが、いずれか１つのみを行うようにしてもよい。ただし、異常の発生をユーザに確実に認識させるためには、複数の手段を用いて報知することが望ましい。
【００６６】
上記実施形態では、消灯異常が検出された際に、ＬＥＤ表示部２３を赤色で点滅させるようにしているが、点滅に代えて点灯させるようにしてもよい。また、発光色は赤色に限られず、他の色にしてもよい。
【００６７】
上記実施形態では、消灯異常が検出された際に、黒色無地の画像の投写と赤色無地の画像の投写とを周期的に切り換えることにより、投写画像Ｐを点滅させているが、色の組み合わせは上記（黒色と赤色）に限定されず、他の組み合わせであってもよい。また、上記実施形態では、メッセージ画像Ｍｗの背景を点滅させているが、メッセージ画像Ｍｗを点滅表示させるようにしてもよい。
【００６８】
上記実施形態では、光変調装置として３つの液晶ライトバルブ１２Ｒ，１２Ｇ，１２Ｂを用いた３板式のプロジェクタ１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００６９】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７０】
上記実施形態では、光源１１は、放電型の光源ランプ１１ａによって構成されているが、ＬＥＤ（Light Emitting Diode：発光ダイオード）光源等の固体光源や、その他の光源に適用することもできる。
【図面の簡単な説明】
【００７１】
【図１】プロジェクタを示す斜視図であり、前面、上面、及び右側面を示す図。
【図２】プロジェクタを示す斜視図であり、背面、底面、及び右側面を示す図。
【図３】プロジェクタの回路構成を示すブロック図。
【図４】オフ操作時のプロジェクタの動作を説明するためのフローチャート。
【図５】メッセージ画像が重畳された投写画像を示す説明図。
【図６】変形例に係るプロジェクタの回路構成を示すブロック図。
【図７】変形例に係るプロジェクタの回路構成を示すブロック図。
【符号の説明】
【００７２】
１…プロジェクタ、２…筐体、３ａ…吸気口、３ｂ…排気口、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…入力操作部、２３…ＬＥＤ表示部、２４…画像情報入力部、２４ａ…入力端子、２５…入力選択部、２６…画像処理部、２７…ＯＳＤ処理部、２８…電源端子、２９…電源回路、３０…光源駆動装置、３１…温度検出部、３２…ファン制御部、３３…冷却ファン、３４…点灯状態検知部、３５…音声出力部、Ｍｗ…メッセージ画像、Ｐ…投写画像、Ｓ…投写面。
【図１】
2010134070.tif 000003
【図２】
2010134070.tif 000004
【図３】
2010134070.tif 000005
【図４】
2010134070.tif 000006
【図５】
2010134070.tif 000007
【図６】
2010134070.tif 000008
【図７】
2010134070.tif 000009